(57)【要約】【課題】端末装置において電池の遮断状態が生じたことを受信側である生体情報表示装置において確実に把握できる。【解決手段】生体情報と端末装置３０１〜３０ｎの電池状態情報とを受信し、生体情報と端末装置３０１〜３０ｎの電池状態との表示を行う生体情報表示装置１０へ、生体情報と電池状態情報とを送信部から送信する端末装置３０１〜３０ｎにおいて、電池の遮断状態を検出する遮断検出手段と、前記遮断検出手段によって電池の遮断状態が検出された場合に、遮断を示す電池状態情報を前記送信部から送信する送信制御手段とを具備する。【選択図】図１
2015192720.tif 000002
【特許請求の範囲】
【請求項１】
生体情報表示装置へ、生体情報と電池状態情報とを送信部から送信する端末装置において、
電池の遮断状態を検出する遮断検出手段と、
前記遮断検出手段によって電池の遮断状態が検出された場合に、遮断を示す電池状態情報を前記送信部から送信する送信制御手段と
を具備する端末装置。
【請求項２】
遮断検出手段は、電源スイッチの操作によるオフまたは電池の取り出しの少なくとも一方を検出する請求項１に記載の端末装置。
【請求項３】
電源スイッチをオンした場合には電池電力を所要部に直ちに供給し、電源スイッチをオフした場合には電池電力の供給を所定時間遅延させて遮断する電源制御手段を備える請求項１または２に記載の端末装置。
【請求項４】
少なくとも生体情報と電池状態情報とを送信する送信部と、電池の遮断状態を検出する遮断検出手段と、前記遮断検出手段によって電池の遮断状態が検出された場合に、遮断を示す電池状態情報を前記送信部から送信する送信制御手段とを具備する端末装置と、
前記端末装置から送信される生体情報を受信し表示を行うと共に、前記端末装置から電池の遮断を示す電池状態情報を受信すると、電池の遮断を示す表示を行う表示制御手段を具備する生体情報表示装置と
を備えるテレメトリーシステム。
【請求項５】
電池の遮断を示す電池状態情報は、電源スイッチの操作によるオフまたは電池の取り出しの少なくとも一方を示す情報であり、
表示制御手段は、それぞれに対応した表示を行う請求項４に記載のテレメトリーシステム。
【請求項６】
生体情報表示装置は、前記端末装置から送信される電波の状態を検出する電波状態検出手段を具備し、
前記表示制御手段は、電波状態検出手段により検出された電波状態に基づく表示を行う請求項４または５に記載のテレメトリーシステム。
【請求項７】
生体情報表示装置は、端末装置から電池の残量情報を得て、前記電波の状態と組み合わせて、電池の遮断を判定する判定手段を具備し、
前記表示制御手段は、前記判定手段の判定に基づき電池の遮断を示す表示を行う請求項６に記載のテレメトリーシステム。
【発明の詳細な説明】
【技術分野】
【０００１】
本発明は、端末装置及びテレメトリーシステムに関する。
【背景技術】
【０００２】
特許文献１には、テレメトリーシステムにおいて、送信を行う端末装置からの電波状態を受信側の生体情報表示装置で監視し、監視結果に基づき警報を発生することが開示されている。この特許文献１には、看護婦が送信機の電源スイッチを切った場合に、予告信号を受信機へ送信し、受信機では予告信号の到来の後に電波切れとなると、正規の操作による電源切れと判断して警報を止めることが開示されている。
【０００３】
特許文献２には、記憶性のある表示装置を用いて、電池が消耗していること、電池が抜かれていること、電池を再度入れた際に正常電圧に戻ったことを知らせることが開示されている。
【先行技術文献】
【特許文献】
【０００４】
【特許文献１】特開平５−１９２３０４号公報
【特許文献２】特開２００１−１８８４９７号公報
【発明の概要】
【発明が解決しようとする課題】
【０００５】
特許文献１に記載のテレメトリーシステムでは、警報の停止が行われるが、電池がどのような状態であるのかを直接知ることができない。また、特許文献２の装置は、送信側の電池の状態を知ることができない。
【０００６】
本発明は上記のようなテレメトリーシステムが有する問題点を解決せんとしてなされたものである。本発明の目的は、端末装置において電池の遮断状態が生じたことを受信側である生体情報表示装置で確実に把握できるようにする端末装置及びテレメトリーシステムを提供することである。
【課題を解決するための手段】
【０００７】
本発明に係る端末装置は、生体情報表示装置へ、生体情報と電池状態情報とを送信部から送信する端末装置において、電池の遮断状態を検出する遮断検出手段と、前記遮断検出手段によって電池の遮断状態が検出された場合に、遮断を示す電池状態情報を前記送信部から送信する送信制御手段とを具備する。
【０００８】
本発明に係る端末装置では、遮断検出手段は、電源スイッチの操作によるオフまたは電池の取り出しの少なくとも一方を検出する。
【０００９】
本発明に係る端末装置では、電源スイッチをオンした場合には電池電力を所要部に直ちに供給し、電源スイッチをオフした場合には電池電力の供給を所定時間遅延させて遮断する電源制御手段を備える。
【００１０】
本発明に係るテレメトリーシステムは、少なくとも生体情報と電池状態情報とを送信する送信部と、電池の遮断状態を検出する遮断検出手段と、前記遮断検出手段によって電池の遮断状態が検出された場合に、遮断を示す電池状態情報を前記送信部から送信する送信制御手段とを具備する端末装置と、前記端末装置から送信される生体情報を受信し表示を行うと共に、前記端末装置から電池の遮断を示す電池状態情報を受信すると、電池の遮断を示す表示を行う表示制御手段を具備する生体情報表示装置とを備える。
【００１１】
本発明に係るテレメトリーシステムでは、電池の遮断を示す電池状態情報は、電源スイッチの操作によるオフまたは電池の取り出しの少なくとも一方を示す情報であり、表示制御手段は、それぞれに対応した表示を行う。
【００１２】
本発明に係るテレメトリーシステムでは、生体情報表示装置は、前記端末装置から送信される電波の状態を検出する電波状態検出手段を具備し、前記表示制御手段は、電波状態検出手段により検出された電波状態に基づく表示を行う。
【００１３】
本発明に係るテレメトリーシステムでは、生体情報表示装置は、端末装置から電池の残量情報を得て、前記電波の状態と組み合わせて、電池の遮断を判定する判定手段を具備し、前記表示制御手段は、前記判定手段の判定に基づき電池の遮断を示す表示を行う。
【発明の効果】
【００１４】
本発明によれば、端末装置において電池の遮断状態が生じたことを受信側である生体情報表示装置において確実に把握できるようになる。また、電源スイッチの操作によるオフまたは電池の取り出しの少なくとも一方を検出することにより、電池の遮断状態が、電源スイッチの操作によるオフまたは電池の取り出しの少なくとも一方であることを特定できる。
【図面の簡単な説明】
【００１５】
【図１】本発明の一実施形態によるテレメトリーシステムの構成図。
【図２】図１のテレメトリーシステムを構成する端末装置の構成図。
【図３】本発明の実施形態による生体情報表示装置で一画面に表示される情報の表示例を示す図。
【図４】本発明の実施形態による端末装置の動作を説明するためのフローチャート。
【図５】本発明の実施形態による生体情報表示装置の動作を説明するためのフローチャート。
【図６】本発明の実施形態による生体情報表示装置で表示されるメッセージやマークの表示例を示す図。
【図７】本発明の実施形態による生体情報表示装置で表示されるメッセージやマークの表示例を示す図。
【図８】本発明の実施形態による生体情報表示装置で表示されるメッセージやマークの表示例を示す図。
【図９】本発明の実施形態による生体情報表示装置で表示されるメッセージやマークの表示例を示す図。
【図１０】本発明の実施形態による生体情報表示装置で表示されるメッセージやマークの表示例を示す図。
【発明を実施するための形態】
【００１６】
以下、添付図面を参照して本発明の実施形態に係る端末装置、生体情報表示装置及びテレメトリーシステムを説明する。各図において、同一の構成要素には、同一の符号を付して重複する説明を省略する。図１は、本発明のテレメトリーシステムの実施形態を示す構成図である。テレメトリーシステムは、生体情報を収集して送信するテレメータなどの複数台の端末装置３０１〜３０ｎと、端末装置３０１〜３０ｎから送信された生体情報を受信して表示するセントラルモニタなどの生体情報表示装置１０とにより構成することができる。生体情報表示装置１０を複数台設けても良い。
【００１７】
端末装置３０１〜３０ｎは、例えば図２に示すように構成することができる。例えばコンピュータによって構成される制御部２０が各部を制御する。制御部２０には、複数のセンサ２１〜２３が接続される。センサ２１〜２３は、心電図、血圧、脳波、体温などの生体信号を取り出すもので、必要なセンサが採用される。また、センサの数は端末装置３０１〜３０ｎ毎に異なっても良いし、同一でも良い。
【００１８】
制御部２０には、送信部２４が接続されている。センサ２１〜２３により得られる生体信号は、送信部２４から送信される。また、制御部２０には、当該装置の動作状態などを表示するための表示部２５が接続されている。
【００１９】
端末装置３０１〜３０ｎは、電池２６の電力により動作する。電池２６の残量を検出するために残量検出手段２７が設けられている。残量検出手段２７により得られる残量情報は、制御部２０により取り込まれ、送信部２４から送信される。
【００２０】
端末装置３０１〜３０ｎには、電源スイッチ２８が設けられている。電源スイッチ２８のオン・オフは、スイッチ操作検出手段２９により検出される。スイッチ操作検出手段２９により検出された電源スイッチ２８のオン・オフ情報は、制御部２０へ送られる。制御部２０には、電源制御手段５１が備えられており、電源制御手段５１は電源スイッチ２８のオン・オフ情報を得て電源供給に関する制御を行う。
【００２１】
電源制御手段５１は電源スイッチ２８のオン情報を得た場合には、電池２６から各部への電力供給を直ちに開始する。一方、電源制御手段５１は電源スイッチ２８のオフ情報を得た場合には、電池２６から各部への電力供給を所定時間経過後に遮断する。送信制御手段である制御部２０は、所定時間の間に、電源オフ情報を送信部２４から送信する。
【００２２】
端末装置３０１〜３０ｎには、電池検出手段５２が設けられている。電池検出手段５２は、例えば電池ボックス内に電池の検出スイッチやセンサを設けた構成により実現できる。電池２６が電池ボックスから抜かれた状態（以下、電池抜状態という）を検出し、制御部２０へ通知する。送信制御手段である制御部２０は、電池抜状態情報を送信部２４から送信する。
【００２３】
電源スイッチ２８のオン・オフ情報と電池抜状態は、電池の遮断状態であり、スイッチ操作検出手段２９と電池検出手段５２は、電池の遮断状態を検出する遮断検出手段である。本実施例では、スイッチ操作検出手段２９と電池検出手段５２を設けたが、いずれか一方だけ設けても良い。
【００２４】
生体情報表示装置１０は、例えばコンピュータなどにより構成される中央制御部１１を備えている。中央制御部１１には、表示部１２、受信部１３、入力部１４が接続されている。表示部１２は、生体情報などを表示するためのものである。受信部１３は、端末装置３０１〜３０ｎから送信された生体情報などを受け取るために用いられる。入力部１４は、タッチパネルやキーボード、マウスなどにより構成することができ、コマンド入力や画面操作入力を行うために用いられる。
【００２５】
中央制御部１１は、電波状態検出手段４１および表示制御手段４２を備える。電波状態検出手段４１は、端末装置３０１〜３０ｎから送信される電波の状態（例えば電界強度）を検出するものである。表示制御手段４２は、端末装置３０１〜３０ｎから電池の遮断を示す電池状態情報が送られてくると、電池の遮断を示す表示を行うことができる。表示制御手段４２は、表示部１２の画面を複数の表示領域に分割して端末装置３０１〜３０ｎから送信された生体情報を対応する表示領域に表示するようにしても良い。また、生体情報表示装置１０には、アラーム音を発生する手段が設けられていても良い。
【００２６】
図３に、複数の端末装置に対応して１画面を区分して、区分された表示領域に各端末装置の情報に関する表示を行った表示画面の例を示す。この例では、８個の端末装置に対応して画面全体を８つに分割した８の表示領域としている。表示領域８３には、上段に患者ＩＤ或いはベッド番号が表示され、その下段にはチャネル番号が表示される。
【００２７】
更に、表示領域８３の右側の表示領域は、電池残量マーク８５が表示される領域である。電池残量マーク８５は、乾電池形状の枠線内に、長手方向に台形や平行四辺形の矩形セグメントが例えば最大で３本表示される。残量が少なくなるに従ってセグメントの数が減少されて表示される。
【００２８】
電池残量マーク８５が表示される領域の右側は、受信状態を示すアンテナマーク８４が表示される領域である。アンテナマーク８４のアンテナバー表示は、受信状態に応じて公知のように４状態に変化して表示される。受信状態が悪化するほど、最左のアンテナ図形の右側に近接して表示されるバーの数が減少される。表示領域８３から左側の領域に対して下側の表示領域８６は、電池残量が無く空である電池マークを拡大して示すアラーム時電池残量マーク８７を表示する領域である。表示領域８８は、生体情報の表示領域であり、信号波形などが表示される。表示領域８９は、メッセージ文字の表示領域であり、電池交換を促すメッセージ文字としての「電池交換」や電波の途絶え示すメッセージ文字としての「電波切れ」などが表示される領域である。
【００２９】
以上の通りに構成されたテレメトリーシステムにおいては、端末装置３０１〜３０ｎが例えば図４に示すプログラムにより動作を行う。また、生体情報表示装置１０の中央制御部１１が例えば図５に示すフローチャートに対応するプログラムを実行することにより、電波状態検出手段４１、表示制御手段４２として機能する。以下は、このフローチャートに基づき動作説明を行う。なお、図５のフローチャートは、１つの端末装置に対応する動作を示したものである。
【００３０】
端末装置３０１〜３０ｎの電源スイッチ２８をオンしスタートとなり、生体情報を収集し、電池残量を検出する（Ｓ１１）。続いて、収集した生体情報と電池残量情報を生体情報表示装置１０へ送信する（Ｓ１２）。更に、電池抜状態であるかを検出し（Ｓ１３）、電池抜状態であるときには電池抜状態情報を生体情報表示装置１０へ送信し、（Ｓ１７）電池が取り出されることにより電源オフとなる（Ｓ１６）。
【００３１】
ステップＳ１３でＮＯへ分岐すると、電源スイッチ２８がオフとされたかを検出する（Ｓ１４）。ここで、電源スイッチ２８がオフとされると、所定時間電源の供給を維持し、電源スイッチ２８のオフ情報を送信し（Ｓ１５）、所定時間後に電源オフとなる（Ｓ１６）。
【００３２】
上記に対し、生体情報表示装置１０の中央制御部１１は、電源が投入されてスタートとなり、電波状態検出手段４１として動作し、電波が途絶えた状態であるかを検出する（Ｓ２１）。ＮＯへ分岐すると、端末装置３０１〜３０ｎから送られてくる生体情報に基づき信号波形などを表示し、電池残量情報に基づき残量表示の出力を行う（Ｓ２２）。この表示例を図６に示す。
【００３３】
続いて電池残量情報に基づき、電池残量が電池交換を行う必要があるレベルであるかを検出する（Ｓ２３）。電池交換を行う必要があるレベルである場合には、電池交換を促すメッセージを表示領域８９に表示する（Ｓ２４）。このステップＳ２４の後或いは、ステップＳ２３でＮＯへ分岐した場合には、電源オフまたは電池抜状態情報が受信されたかを検出する（Ｓ２５）。このステップＳ２５でＹＥＳへ分岐すると、端末装置３０１〜３０ｎから送られてきた情報に基づき、電源オフまたは電池抜状態のメッセージを表示領域８９に表示する（Ｓ２６）。図７（ａ）は、電源オフのメッセージを表示領域８９に表示した例であり、図７（ｂ）は、電池抜状態のメッセージを表示領域８９に表示した例である。このように、本実施形態では突然に電波切れとなる前に、電源オフまたは電池蓋開放が端末装置側で行われたことが明らかになり、医療従事者によるその後の適切な対応を可能とする。
【００３４】
一方、ステップＳ２５でＮＯへ分岐した場合には、ステップＳ２１へ戻って処理が続けられる。ステップＳ２１でＹＥＳへ分岐した場合には、電源オフまたは電池抜状態であるかを検出する（Ｓ２７）。このステップＳ２７でＹＥＳへ分岐した場合には、生体情報のエリアの表示を無くし、図８に示すように電波切れのメッセージを表示する（Ｓ２８）。
【００３５】
ステップＳ２７でＮＯへ分岐した場合には、図９に示すように鋸歯状波形と電波切れのメッセージを表示する（Ｓ２９）。このステップＳ２９においては、アラーム音を発生させても良い。更に、このステップＳ２９に続いて、電池残量が無い状態であるか否かを判定し（Ｓ３０）、電池残量無と判定すると図１０に示すように表示領域８６に電池無しマークを拡大表示する（Ｓ３１）。このステップＳ３１においては、アラーム音を大きくするエスカレーションアラームを発生させても良い。また、ステップＳ３０で、ＮＯへ分岐した場合にはステップＳ２９で表示された鋸歯状波形と電波切れのメッセージが表示保持される。
【００３６】
以上の通り、本実施形態では、電源オフまたは電池抜状態という電池の遮断状態のときには、電波切れの前にその原因などの表示（図７）がされ、電波切れとなった後には通信圏外に端末装置３０１〜３０ｎが出た場合や受信状態の悪化の場合の表示（図９）とは異なる表示（図８）がされる。このため、通常は医療従事者による電源オフまたは電池抜状態によって電波切れとなったことが了解でき、圏外へ出た患者を探したり、端末装置３０１〜３０ｎの異常を調べたりという無駄な対応を無くすことができる。また、電源や電池の入れ忘れやなどの場合に、通信圏外の場合や受信状態の悪化の場合とは異なる表示となり、電源や電池の入れ忘れをチェックすることも可能である。
【００３７】
なお、本実施形態では、電源オフ情報や電池抜状態情報に基づき電池の遮断状態を検出したが、生体情報表示装置１０に、端末装置３０１〜３０ｎから電池の残量情報を得て、電波の状態と組み合わせて、電池の遮断を判定する判定手段を設けても良い。例えば、電池残量が十分である場合に突然として電波切れとなった場合には、電池の遮断状態と判定して、通信圏外の場合や受信状態の悪化の場合とは異なる表示を行うことができる。
【符号の説明】
【００３８】
１０  生体情報表示装置
１２  表示部
１３  受信部
１４  入力部
２０  制御部
２４  送信部
２５  表示部
２６  電池
２７  残量検出手段
２８  電源スイッチ
２９  スイッチ操作検出手段
４１  電波状態検出手段
４２  表示制御手段
５１  電源制御手段
５２  電池検出手段
３０１〜３０ｎ  端末装置
【図１】
2015192720.tif 000003
【図２】
2015192720.tif 000004
【図３】
2015192720.tif 000005
【図４】
2015192720.tif 000006
【図５】
2015192720.tif 000007
【図６】
2015192720.tif 000008
【図７】
2015192720.tif 000009
【図８】
2015192720.tif 000010
【図９】
2015192720.tif 000011
【図１０】
2015192720.tif 000012